(57)【要約】【課題】複数の操作部材を連携操作して制御切り換えを行なうと同時に誤操作を防止し得る撮影機器及びその制御方法を提供する。【解決手段】被写体の光学像を結像させる撮影光学系２６と被写体像を受けて光電変換し画像信号を出力する撮像素子１３とからなる撮像部と、撮影光学系の位置調整を行うフォーカス駆動手段２４ｂと、フォーカス駆動用の操作を行う操作部材を含む複数の操作部材２３と、操作部材の指示信号を受けて撮影パラメータ制御を行う信号処理制御部１１とを具備し、信号処理制御部は複数の操作部材のうちの少なくとも二つの操作部材の同時操作指示信号を受けると操作量とパラメータ量の関係の切り換えを行う。【選択図】図１
2015001717.tif 000002
【特許請求の範囲】
【請求項１】
被写体の光学像を結像させる撮影光学系と上記被写体の光学像を受けて光電変換し画像信号を出力する撮像素子とからなる撮像部と、
上記撮影光学系の位置調整を行うフォーカス駆動手段と、
上記フォーカス駆動用の操作を行う操作部材を含む複数の操作部材と、
上記操作部材の指示信号を受けて撮影パラメータ制御を行う信号処理制御部と、
を具備し、
上記信号処理制御部は、上記複数の操作部材のうちの少なくとも二つの操作部材の同時操作指示信号を受けると、操作量とパラメータ量の関係の切り換えを行うことを特徴とする撮影機器。
【請求項２】
上記信号処理制御部は、さらに、上記二つの操作部材のそれぞれの操作指示に応じた通常制御を禁止することを特徴とする請求項１に記載の撮影機器。
【請求項３】
上記信号処理制御部は、さらに、上記二つの操作部材のいずれかの操作指示量に応じた制御をリニアな関係の制御からノンリニアな関係の制御にすることを特徴とする請求項１に記載の撮影機器。
【請求項４】
上記信号処理制御部は、さらに、上記二つの操作部材のいずれかの操作指示に応じた補助表示を切り替えることを特徴とする請求項１に記載の撮影機器。
【請求項５】
上記信号処理制御部は、被写体距離分布判定に基づく複数のフォーカスゾーンを設定し、
上記操作部材からのフォーカスゾーン指定操作指示信号による撮影パラメータ制御に切り換えることを特徴とする請求項１に記載の撮影機器。
【請求項６】
撮像部は、撮影光学系により被写体の光学像を結像し、この被写体の光学像を撮像素子により受光して光電変換を行って画像信号を出力し、
フォーカス駆動手段は、上記撮影光学系の位置調整を行い、
操作部材は、上記フォーカス駆動用の操作を行い、
信号処理制御部は、上記複数の操作部材のうちの少なくとも二つの操作部材の同時操作指示信号を受けると、操作量とパラメータ量の関係の切り換えを行う撮影パラメータ制御を実行することを特徴とする撮影機器の制御方法。
【発明の詳細な説明】
【技術分野】
【０００１】
この発明は、複数の操作部材を用いて動作モードの制御切り換えを行なう撮影機器及びその制御方法に関するものである。
【背景技術】
【０００２】
従来、被写体像を結像させるための撮影光学系を備えたレンズ鏡筒を有し、静止画像や動画像等を撮影するカメラ等の撮影機器が一般に実用化され広く普及している。この種の従来の撮影機器においては、携帯するのに至便なように小型化の要望が常にあると共に、様々な撮影状況に対応するために多機能化する傾向が近年顕著である。
【０００３】
例えば、この種の従来の撮影機器においては、撮影光学系を構成する複数の光学レンズのそれぞれを適宜目的に応じて駆動するために複数の駆動機構部を有しており、これら複数の駆動機構を駆動制御して、ズーム機能やフォーカス調節機能等を実現している。また、これら各種の機能を実行するために、撮影機器若しくはレンズ鏡筒の外装部には、複数の操作部材が設けられている。このようなズーム制御やピント制御、絞り、シャッタースピード、露出補正、ホワイトバランス、画像処理パラメータなど撮影時の効果を変更する撮影パラメータを変更するために、これらの操作部材が利用されている。
【０００４】
従来の撮影機器においては、ズーム操作やフォーカス調節操作を実行するための操作部材として、例えばレンズ鏡筒における撮影光学系の光軸周りに回動自在に設けた複数の円環状の操作部材や、レンズ鏡筒若しくはカメラボディの外装部等に設けた押圧式ボタンやレバー回動式若しくはスライド摺動式等の操作部材等が設けられている。そして、従来の撮影機器においては、使用者（ユーザー）が、これら各種の操作部材を適宜必要に応じて操作することによって、電動によるズーム制御やオートフォーカス制御を行なうことができ、これらに加えて、手動によるズーミング操作やフォーカシング操作をも行なうことができるように構成されている。
【０００５】
これら複数の操作部材を用いて撮影を行なうのに際しては、例えば近接撮影等を行なう際の微細なフォーカス調節操作や、風景撮影等を行なう際の厳密なフレーミング操作等は、電動による操作に加えて最終的に使用者（ユーザー）が撮影の効果を確認しながら手動操作にて行ないたいという要望がある。
【０００６】
一方、近年においては、撮影機器の小型化に伴って、撮影機器に適用されるレンズ鏡筒自体も小型化される傾向にある。したがって、例えば撮影機器やレンズ鏡筒の外装面上に複数の操作部材を従来の形態と同様に配設した場合、各操作部が小型化されそれらの操作部材の操作性が損なわれてしまうことが考えられる。
【０００７】
例えば、従来の撮影機器におけるレンズ鏡筒においては、撮影光学系の光軸周りに回動する円環状操作部材を光軸方向に隣接させて複数設けた形態のものがある。このような構成の場合、各円環状操作部材同士の間隔が近接して配置されていると、一方のみを操作しようとした時に、誤って二つの操作部材を同時に操作してしまう等の誤操作の可能性が考えられる。
【０００８】
具体的には、従来の撮影機器におけるレンズ鏡筒において、例えばズームリングとフォーカスリングとを光軸方向に近接させて配置した構成を考えてみる。この構成の場合、例えばズーミング操作を行なうために使用者（ユーザー）が手指を用いてズームリングのみを操作しようとした時、その同じ手指がフォーカスリングにも同時に触れてしまうことがある。すると、使用者（ユーザー）は上記二つの円環状操作部材を同時に回動させてしまうといった誤操作をしてしまうという可能性がある。
【０００９】
より詳しく説明すると、従来の撮影機器において、例えばフォーカス操作を行なった後に、これに続けてズーミング操作を行なうという状況がよくある。この場合、使用者（ユーザー）は、ズーミング操作のみを行なおうとしているのにも関らず、そのズーミング操作と同時にフォーカス操作が意図せずに行なわれてしまうという誤操作が起り得る。この場合には、使用者（ユーザー）の意志に反して、調整済みのフォーカス位置がズレてしまう問題点がある。
【００１０】
そこで、従来の撮影機器におけるレンズ鏡筒においては、例えば従来の円環状の回動式操作部材に代えて、これら従来のものとは異なる形態の操作部材について、例えば特開２０１０−１１７４４４号公報等によって種々の提案が行なわれている。
【００１１】
上記特開２０１０−１１７４４４号公報によって開示されている撮影機器におけるレンズ鏡筒は、レンズ鏡筒に設ける操作部材として、従来の形態の回動操作部材に代えてタッチパッドを配設するようにしている。このような構成の上記公報に開示されているレンズ鏡筒によれば、可動部材を廃したのでレンズ鏡筒の密閉度を向上させることが期待できるというものである。
【先行技術文献】
【特許文献】
【００１２】
【特許文献１】特開２０１０−１１７４４４号公報
【発明の概要】
【発明が解決しようとする課題】
【００１３】
ところが、上記特開２０１０−１１７４４４号公報に開示されている手段では、機器の小型化に伴う複数の操作部材の配置については考慮されておらず、例えば複数の操作部材を意図せずに同時操作してしまう等といった可能性は依然として存在する。
【００１４】
本発明は、上述した点に鑑みてなされたものであって、その目的とするところは、複数の操作が可能でありながら、誤操作を防止することのできる撮影機器及びその制御方法を提供することである。
【課題を解決するための手段】
【００１５】
上記目的を達成するために、本発明の一態様の撮影機器は、被写体の光学像を結像させる撮影光学系と上記被写体の光学像を受けて光電変換し画像信号を出力する撮像素子とからなる撮像部と、上記撮影光学系の位置調整を行うフォーカス駆動手段と、上記フォーカス駆動用の操作を行う操作部材を含む複数の操作部材と、上記操作部材の指示信号を受けて撮影パラメータ制御を行う信号処理制御部とを具備し、上記信号処理制御部は、上記複数の操作部材のうちの少なくとも二つの操作部材の同時操作指示信号を受けると、操作量とパラメータ量の関係の切り換えを行う。
【００１６】
本発明の一態様の撮影機器の制御方法は、撮像部は撮影光学系により被写体の光学像を結像しこの被写体の光学像を撮像素子により受光して光電変換を行って画像信号を出力し、フォーカス駆動手段は上記撮影光学系の位置調整を行い、操作部材は上記フォーカス駆動用の操作を行い、信号処理制御部は上記複数の操作部材のうちの少なくとも二つの操作部材の同時操作指示信号を受けると操作量とパラメータ量の関係の切り換えを行う撮影パラメータ制御を実行する。
【発明の効果】
【００１７】
本発明によれば、複数の操作部材を連携操作することによって制御切り換えを行ない得ると同時に、誤操作を防止することのできる撮影機器及びその制御方法を提供することができる。
【図面の簡単な説明】
【００１８】
【図１】本発明の第１の実施形態の撮影機器（カメラ）の内部主要構成の概略を示すブロック構成図
【図２】図１の撮影機器（カメラ）を用いて撮影を行なう際の撮影状況の概念図
【図３】図１の撮影機器（カメラ）におけるカメラ制御の処理シーケンスを示すフローチャート
【図４】図３の処理シーケンスのうちのサブルーチン（ステップＳ１１７の処理）を示すフローチャート
【図５】図１の撮影機器（カメラ）を用いて図２に示す撮影対象をフォーカスガイドモードによって撮影を行なうのに際し、表示部に表示されるライブビュー画像の一例を示す図
【図６】図５の状態からフォーカスガイドアイコンを操作した後の状態を示す図
【図７】図１の撮影機器（カメラ）をフォーカスガイドモードに設定して撮影を行なうのに際し、距離分布測定結果（Ａ）と、その測距結果に基いて作成されたリング回転量（Ｂ）を示すグラフ
【図８】図７（Ａ）の距離分布測定結果に基いて作成されるリング回転量の別の変形例を示すグラフ
【図９】図１の撮影機器（カメラ）における通常フォーカスモード時のフォーカス駆動とリング回転量の関係を示す図
【図１０】本発明の第２の実施形態の撮影機器（カメラ）におけるカメラ制御処理シーケンスのうちリング操作検出処理のサブルーチンの詳細を示すフローチャート
【図１１】図１０の処理シーケンスのうちのサブルーチン（ステップＳ２３７のアイコン表示処理）を示すフローチャート
【図１２】図１０の処理シーケンスのうちのサブルーチン（ステップＳ２４３の表示更新処理）を示すフローチャート
【図１３】本発明の第２の実施形態の撮影機器（カメラ）において表示部に表示されるラブビュー画像の一例を示す図
【図１４】本発明の第２の実施形態の撮影機器（カメラ）におけるフォーカスガイドモード時のラブビュー画像の一例を示し、近景の被写体に合焦した状態を示す図
【図１５】本発明の第２の実施形態の撮影機器（カメラ）におけるフォーカスガイドモード時のラブビュー画像の一例を示し、中景の被写体に合焦した状態を示す図
【図１６】本発明の第２の実施形態の撮影機器（カメラ）におけるフォーカスガイドモード時のラブビュー画像の一例を示し、遠景の被写体に合焦した状態を示す図
【発明を実施するための形態】
【００１９】
以下、図示の実施の形態によって本発明を説明する。以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２０】
以下に説明する本発明の各実施形態は、例えば光学レンズ等からなる撮影光学系によって結像される光学像（被写体像）を固体撮像素子等を用いて光電変換し、この光電変換処理の結果により得られた画像信号を、静止画像や動画像を表わすデジタル画像データに変換し、その画像データを記録媒体に記録し、また記録媒体に記録されたデジタル画像データに基いて静止画像や動画像を表示装置を用いて表示し得るように構成される撮影機器（カメラ）に適用した場合の例示である。
［第１の実施形態］
【００２１】
まず、本発明の第１の実施形態の撮影機器（以下、単にカメラという）の概略的な構成について以下に説明する。図１は、本発明の第１の実施形態の撮影機器（カメラ）の内部主要構成の概略を示すブロック構成図である。
【００２２】
本実施形態のカメラ１は、図１に示すように、カメラボディ１０とレンズ鏡筒２０とによって構成されている。本カメラ１は、カメラボディ１０に対してレンズ鏡筒２０が着脱自在に構成されたいわゆるレンズ交換式カメラである。本実施形態においては、撮影機器としてレンズ交換式カメラを例に挙げて説明するが、本発明を適用し得る撮影機器であるカメラとしては、この形態に限られることはなく、例えばカメラボディ１０とレンズ鏡筒２０とが一体に構成された形態のレンズ固定式のカメラであっても全く同様に適用することができる。
【００２３】
カメラボディ１０は、信号処理制御部１１と、ボディ側通信部１２と、撮像素子１３と、記録部１４と、操作部１５と、一時記録部１６と、表示部１８と、タッチパネル１８ｂと、時計部１９と、顔検出部３１等を有して構成されている。
【００２４】
信号処理制御部１１は、本カメラ１の全体の動作を統括的に制御する制御部としての機能を備え、各種構成ユニットを制御する制御信号を処理すると共に、撮像素子１３によって取得した画像信号（画像データ）についての画像信号処理等を行う信号処理部としての機能を備えた回路部である。
【００２５】
信号処理制御部１１の内部には、フォーカス処理部１１ａと、画像処理部１１ｂと、タッチ判定部１１ｃと、表示制御部１１ｄ等の各種の回路部が具備されている。
【００２６】
このうち、フォーカス処理部１１ａは、撮像素子１３から出力される画像信号を受けてコントラスト検出等を行なって、焦点調節処理，または、ピント位置判定、遠近判定（測距）処理等の画像信号処理を行なう回路部である。
【００２７】
画像処理部１１ｂは、撮像素子１３によって取得された画像データに基いて各種の画像処理を施す処理回路部である。
【００２８】
タッチ判定部１１ｃは、タッチパネル１８ｂからの指示入力信号を受けて、その指示内容を判定する信号処理回路である。例えば、表示部１８の表示画像上のアイコン表示等が表示されている時に、使用者（ユーザー）が、表示中のアイコン表示等に対応するタッチパネル１８ｂ上の位置をタッチ操作，スライド操作等を行なうと、それらの操作を判定する。タッチ判定部１１ｃによる判定結果は、信号処理制御部１１へと伝達され、これを受けて信号処理制御部１１は表示中のアイコン表示に応じた制御処理を実行する。
【００２９】
表示制御部１１ｄは、表示部１８を駆動制御する制御回路部である。表示制御部１１ｄは、撮像素子１３及びレンズ２６（後述する）等からなる撮像部によって生成され取得された画像データ（画像信号）を受けて、これを表示部１８の表示パネル上に画像として視認可能に表示させるための制御を行う。
【００３０】
ここで、上記撮像部は、撮影対象とする対象物（被写体）からの光を透過させて被写体の光学像を結像させる撮影光学系であるレンズ２６等（後述する）と、このレンズ２６によって結像された被写体像を受けて光電変換処理を行う撮像素子１３とを含んで構成されるユニットである。
【００３１】
撮像素子１３は、例えばＣＣＤ（Ｃｈａｒｇｅ  Ｃｏｕｐｌｅｄ  Ｄｅｖｉｃｅ；電荷結合素子）等の回路素子を用いたＣＣＤイメージセンサー若しくはＭＯＳ（Ｍｅｔａｌ  Ｏｘｉｄｅ  Ｓｅｍｉｃｏｎｄｕｃｔｏｒ；金属酸化膜半導体）等を用いたＭＯＳ型イメージセンサー等の固体撮像素子である光電変換素子等が適用される。撮像素子１３によって生成されたアナログ画像信号は、信号処理制御部１１のフォーカス処理部１１ａ，画像処理部１１ｂへと出力されて各種の画像信号処理が行なわれる。
【００３２】
記録部１４は、撮像素子１３から出力され上記画像処理部１１ｂにて処理済みの画像信号を受けて、これを所定の形態に変換する信号処理回路部と、この信号処理回路部によって生成された画像データを記録する記録媒体と、この記録媒体を駆動制御する制御部等を含んで構成される構成部である。ここで行われる画像信号の変換処理としては、例えば信号圧縮処理等を行って記録形態の画像データ変換する処理や、記録媒体に記録済みの画像データを読み込んで伸長処理等を施して画像信号を復元させる信号処理等である。なお、この種の圧縮伸長処理については、記録部１４に含まれる信号処理回路部で行なう形態に限られることはなく、例えば信号処理制御部１１内に同様の信号処理回路部を設け、それによって実行するような形態としてもよい。
【００３３】
一時記録部１６は、撮像素子１３によって取得された画像データ等を一時的に記録しておく回路部であって、例えばＥＥＰＲＯＭ（Electrically Erasable Programmable Read-Only Memory），ＲＡＭ（Random Access Memory）等の半導体メモリ素子等が適用される。
【００３４】
操作部１５は、カメラ１のカメラボディ１０の外装部分に設けられる通常の押しボタン式若しくはスライド式，ダイヤル式等の形態の各種の操作部材であって、例えばシャッターリリースボタン（特に図示せず）等、各種の一般的な操作部材を含めた操作用の構成部を指すものである。なお、操作部１５に含まれる操作部材として、例えばいわゆる四方向操作部材等もある。この四方向操作部材は、例えば表示部１８上に表示されるメニュー画面の項目選択を行なったり、表示画像上の位置を指示するような場合にも用いられる。四方向操作部材は、後述のタッチパネル１８ｂに代わる操作部材として機能する。四方向操作部材からの指示信号は信号処理制御部１１へと出力され、この信号処理制御部１１内の制御回路によって各種の制御が行われる。
【００３５】
また、本実施形態のカメラ１においては、上記操作部１５とは別の操作用の操作部材として、タッチパネル１８ｂを有している。このタッチパネル１８ｂは、表示部１８の表示面上に配置されており、使用者（ユーザー）が表示部１８に表示中の画像に対応する所定領域、例えば各種アイコン表示に相当する領域に対してタッチ操作やスライド操作等を行うことによって、各種の操作指示信号が発生するように構成された操作部材である。このタッチパネル１８ｂからの指示入力信号は、信号処理制御部１１のタッチ判定部１１ｃに送られて、その操作入力が判定される。
【００３６】
表示部１８は、信号処理制御部１１の表示制御部１１ｄによって制御される。即ち、表示部１８は、例えば撮像素子１３から出力され信号処理制御部１１の画像処理部１１ｂによって処理済みの画像データ等に基いてライブビュー画像を表示したり、記録部１４により伸長処理された画像データ等に基いて記録済み画像の再生表示を行ったり、記録部１４等に予め用意された各種アイコンデータ等に基くアイコンやメニュー画面等を表示する表示ユニットである。表示部１８は、例えば液晶ディスプレイ（ＬＣＤ；Liquid Crystal Display），プラズマディスプレイ（ＰＤＰ；Plasma Display），有機エレクトロルミネッセンスディスプレイ（ＯＥＬ；Organic Electro-Luminescence Display）等の表示パネルと、その駆動回路等を含んで構成される。
【００３７】
換言すると、表示部１８は、再生モード時には表示制御部１１ｄの制御下において、撮影記録済みの画像データに基く画像を再生表示する表示装置となる一方、撮影モード時には表示制御部１１ｄの制御下において、撮像素子１３から出力され画像処理部１１ｂを経て処理済み画像データに基いて順次連続的にリアルタイムの画像を表示し続けることによって、撮影範囲を観察，確認を行なう電子ビューファインダとしても機能する。なお、本実施形態においては、表示部１８の表示パネルをカメラボディ１０の背面側に設けた例を示しているが、表示部１８の構成例としては、このような形態に限られることはない。例えば、電子ビューファインダ（ＥＶＦ；Electric View Finder）として利用し得る小型の表示パネルで構成される表示部とする形態としてもよい。さらに、背面に設ける表示部と小型表示部とを設け、両者を切り換えて使用するような形態としてもよい。
【００３８】
時計部１９は、いわゆるリアルタイムクロック（Real-Time Clock；ＲＴＣ）と言われるコンピュータの内部時計である。時計部１９は、例えばデータファイル等の日時情報の付与を行ったり、制御処理中における計時や時間制御等の際に利用される。
【００３９】
顔検出部３１は、撮像素子１３から出力される画像データに基いて表示される画像の中に、人間の顔若しくは特定種類の動植物等（例えば犬，猫，鳥，花等）の被写体に対応する画像が存在するかどうかを検出するための被写体像検出回路部である。顔検出部３１としては、顔画像を検出するだけでなく、これに加えて、例えば色検出やパターン検出等を行なうものを含めてよい。なお、信号処理制御部１１は、顔検出部３１によって検出された被写体像が撮影画面内で移動しても、その像パターンを常に追尾し続け、かつフォーカスを合わせ続ける制御等を行う機能を有する。
【００４０】
ボディ側通信部１２は、後述するレンズ側通信部２２との間で電気的に接続することによって、カメラボディ１０とレンズ鏡筒２０との間で制御信号，情報信号等をやり取りするカメラボディ１０側の通信用信号処理回路部である。
【００４１】
次に、レンズ鏡筒２０は、レンズ制御部２１と、レンズ側通信部２２と、レンズ側操作部２３と、ズーム駆動部２４ａと、フォーカス駆動部２４ｂと、絞り駆動部２４ｃと、ズームレンズ位置検出部２５ａと、フォーカスレンズ位置検出部２５ｂと、第１回動検出部２７ａと、第２回動検出部２７ｂと、撮影光学系であるレンズ２６等によって主に構成されている。
【００４２】
レンズ制御部２１は、上記カメラボディ１０側の信号処理制御部１１の制御下においてレンズ鏡筒２０側の各構成ユニットの動作を制御する制御部である。なお、このレンズ制御部２１を省略して構成することもできる。その場合には、レンズ鏡筒２０側の制御は、カメラボディ１０側の信号処理制御部１１が担うようにすればよい。
【００４３】
レンズ側通信部２２は、上記ボディ側通信部１２との間で電気的に接続することによって、レンズ鏡筒２０とカメラボディ１０との間で制御信号，情報信号等をやり取りするレンズ鏡筒２０側の通信用信号処理回路部である。
【００４４】
レンズ側操作部２３は、レンズ鏡筒２０側に設けられる各種の操作部材であり、具体的には例えば、手動によるフォーカス調節操作を行なうフォーカスリング２３ａ（第１操作部材，第１操作リング）と、手動によるズーム操作を行なうズームリング２３ｂ（第２操作部材，第２操作リング）等である。これら二つの操作リング２３ａ，２３ｂは、例えば円環状（リング状）に形成され、レンズ鏡筒２０の外周側に外周面を露呈するように配設され、かつ当該レンズ鏡筒２０の撮影光学系であるレンズ２６の光軸周りに回動し得るように設けられた円環状操作部材である。そして、これら二つの操作リング２３ａ，２３ｂは光軸方向に並設され、互いに近接する位置に設けられている。
【００４５】
なお、上記二つの操作リング２３ａ，２３ｂ以外のレンズ側操作部２３としては、例えば通常撮影と近接撮影等の撮影モード切換用の操作部材や、電動ズーミングを行なうためのズームスイッチ等、その他の操作部材が設けられていてもよい。これらその他の操作部材については、本発明に直接関連しない部分であるので、その図示及び詳細説明は省略する。
【００４６】
ここで、本実施形態のカメラ１におけるフォーカシング（ピント合わせ、ピント制御、焦点調節）制御は、基本的にはオートフォーカス（自動焦点調節）制御（以下、ＡＦ制御と略記する）である。このＡＦ制御の概略は、例えばカメラボディ１０側の操作部１５に含まれるシャッターリリースボタンの半押し操作をトリガーとして開始される。この場合、撮像素子１３から出力される画像データに基いてコントラストＡＦ制御や像面位相差ＡＦ制御等が適宜実行される（通常ＡＦ制御モード）。これに加えて、この状態にあるときに使用者（ユーザー）が上記シャッターリリースボタンの半押し操作を維持しつつ、手動にて上記フォーカスリング２３ａの回動操作を行うと、その回動操作に応じたフォーカシング（ピント合わせ、ピント制御、焦点調節）（マニュアルフォーカシング；ＭＦ）を行なうことができる。つまり、ＡＦ制御からマニュアルフォーカス（手動焦点調節）制御（以下、ＭＦ制御と略記する）への移行を、フォーカスモードの切り換え操作を行なうことなくシームレス（seamless；継ぎ目無く）に実行し得るように制御するいわゆるＡＦ＋ＭＦ制御モードを有する。
【００４７】
さらに、本実施形態のカメラ１においては、フォーカスモードの別の形態の一つとして、フォーカスガイドモードを備えている。
ここでは、特に、フォーカシング制御（ピント合わせ）用のリング操作部を使った別の仕様を提案しているが、これは、操作部材がもともとピント合わせ用を想定する場合、それに関連するモードに切り替わる方がユーザの混乱を招かないと考えたためである。以下に記載するようにフォーカスガイドモードは、ノンリニア制御（図８参照）、補助ガイド表示（図６、図１３等参照）を有するので、この特徴を受け継いで、ノンリニアズーム制御や、どのリング回転位置でどの範囲をズーミングするかをガイド表示したズームガイドモードといった改良が可能であることは言うまでもない。しかし、ここでは、ユーザが悩みやすいピント位置制御の説明に注力する。ピント制御もズーム制御も、光学系を構成するレンズ群の光軸方向の位置調節を行うという意味では、同様の概念として捉えられ、いずれも光学系の位置制御である。この位置調整を撮影パラメータ調整の一つと呼んでも良い。
このフォーカスガイドモードは、撮像部からの出力を受けて、撮影画面内の所定領域の距離分布判定（測距）動作を行ない、その測距結果に応じて複数のフォーカスゾーン（遠景，中景，近景等）を設定し、設定したフォーカスゾーンに応じたフォーカスガイドアイコン５１（後述する図５，図６参照）を表示部１８上に表示させる。使用者（ユーザー）は、上記フォーカスガイドアイコン５１を用いて所望のフォーカスゾーンの指定操作を行なうと、指定されたフォーカスゾーンに対してフォーカシング（ピント合わせ、ピント制御、焦点調節）制御がなされるというものである。このときの、各フォーカスゾーン間では、段階的なフォーカシング（ステップフォーカシング）制御を行なうようにしている。
【００４８】
本実施形態のカメラ１におけるフォーカスガイドモードは、例えば他のフォーカスモード（通常ＡＦ制御モード，ＭＦ制御モード，ＡＦ＋ＭＦ制御モード）に設定されているとき、所定の操作（具体的には後述するように二つの操作リング２３ａ，２３ｂの同時回動操作等）を行なうとフォーカスモードの移行がシームレスに実行されるように構成している（詳細は後述する）。特に、マニュアルフォーカスモードの時に、この機能を有効にすれば、リニアにピント合わせできる通常ＭＦと、ノンリニアであったり、補助ガイド表示付きであったりするフォーカスガイドモードを、リング操作で簡便に選択でき、かつ、仮に、それぞれの操作を誤ったとしても同様の操作で同様のパラメータが操作できるというメリットがあり、ユーザの混乱を招かずにすむ。つまり、操作量とパラメータ量の関係の切り換えを行うだけである。また、パラメータ量変化を０にすれば、操作禁止と同様の制御が可能となる。
【００４９】
このように、本実施形態のカメラ１におけるフォーカシング（ピント合わせ、ピント制御、焦点調節）制御に関しては、例えばＡＦ制御のみを行なう通常ＡＦ制御モードと、ＭＦ制御のみを行なうＭＦ制御モードと、ＡＦ制御からＭＦ制御への移行をシームレスに実行し得るＡＦ＋ＭＦ制御モードと、フォーカスガイドモード等、複数のフォーカスモードを設け、これら複数のフォーカスモードを適宜切り換えて行ない得るように構成されている。
【００５０】
第１回動検出部２７ａは、上記フォーカスリング２３ａ（第１操作リング）の回転量、即ち操作リングの回転の機械的変位量を電気信号に変換し、この信号を処理して回転方向や回転量等を検出するセンサ等を含む回路部である。また、第２回動検出部２７ｂは、上記ズームリング２３ｂ（第２操作リング）の回転量を検出する回路部である。第１回動検出部２７ａ，第２回動検出部２７ｂとしては、例えばロータリエンコーダ等が適用される。
【００５１】
ズーム駆動部２４ａは、レンズ制御部２１の制御下においてレンズ２６内のズーム駆動機構部２６ａ（後述する）の駆動制御を行なう制御回路部でありズーム駆動手段である。フォーカス駆動部２４ｂは、同様にレンズ制御部２１の制御下においてレンズ２６内のフォーカス駆動機構部２６ｂ（後述する）の駆動制御を行なう制御回路部でありフォーカス駆動手段である。なお、フォーカシング方法については、必ずしもレンズを動かさず、撮像素子を動かす場合もある。絞り駆動部２４ｃは、同様にレンズ制御部２１の制御下においてレンズ２６内の絞り駆動機構部２６ｃ（後述する）の駆動制御を行なう制御回路部である。
【００５２】
ズームレンズ位置検出部２５ａは、ズーム光学系の光軸上の位置を検出する位置検出回路である。また、フォーカスレンズ位置検出部２５ｂは、フォーカス光学系の光軸上の位置を検出する位置検出回路である。なお、上記二つの位置検出部（２５ａ，２５ｂ）は、例えば初期位置判定用のスイッチやフォトカプラ等を含んで構成される。
【００５３】
レンズ２６は、上述したように撮影対象となる対象物（被写体）からの光を透過させて被写体の光学像を結像させるための複数の光学レンズ等からなる撮影光学系と、この撮影光学系の個々の光学レンズをそれぞれ保持する複数の鏡筒部材と、これら複数の鏡筒部材をそれぞれ個別に光軸方向に進退させる駆動用鏡筒等のほか、ズーム駆動機構部２６ａと、フォーカス駆動機構部２６ｂと、絞り駆動機構部２６ｃ等を具備して構成される。なお、撮影光学系は複数の光学レンズからなり、例えば変倍動作（ズーミング）に寄与するズーム光学系，焦点調節動作（フォーカシング）に寄与するフォーカス光学系，レンズ収差補正用の光学系等によって構成される。
【００５４】
ズーム駆動機構部２６ａは、撮影光学系のうちズーム動作に関与するズーム光学系を駆動するための駆動源（アクチュエータ）やその駆動力を伝達する駆動機構等を含む駆動ユニットである。
【００５５】
フォーカス駆動機構部２６ｂは、撮影光学系のうちフォーカス動作に関与するフォーカス光学系を駆動するための駆動源（アクチュエータ）やその駆動力を伝達する駆動機構等を含む駆動ユニットである。
【００５６】
絞り駆動部２４ｃは、撮影光学系を透過する光束の光量を調整するための絞り機構を駆動する駆動源（アクチュエータ）やその駆動力を伝達する駆動機構等を含む駆動ユニットである。
【００５７】
なお、カメラボディ１０，レンズ鏡筒２０は、上述した構成部以外にもその他の各種構成ユニット等を有して構成されているものであるが、それらの各種構成ユニット等は、本発明に直接関連しない構成であるので、従来の一般的なカメラと同様の構成を具備するものとして、その詳細説明及び図示を省略している。
【００５８】
例えば、撮影光学系の光路を開閉し、撮影動作の際に撮影光学系を透過する光束の光量を調整するためのシャッター機構については図示及び説明を省略しているが、本実施形態のカメラ１においても、従来のカメラと同様の通常のシャッター機構を有している。このシャッター機構は、カメラボディ１０側に配設するフォーカルプレーンシャッターでもよいし、レンズ鏡筒２０側に配設するレンズシャッターでもよい。シャッター機構がカメラボディ１０側に配設されている場合には、シャッター機構は主にボディー側の制御部によって制御される。また、シャッター機構がレンズ鏡筒２０側に配設されている場合には、シャッター機構は主にボディー側の制御部の制御下においてレンズ制御部２１を介して制御される。
【００５９】
このように構成された本実施形態のカメラ１を用いて撮影を行なう際の作用を以下に説明する。図２は、本実施形態のカメラ１を用いて撮影を行なう際の撮影状況の概念図である。本実施形態のカメラ１を手に持つ使用者（ユーザー）１００が、図２に示すように、主要な撮影対象としての二人の人物等１０１を含む光景を撮影するものとする。この場合において、本カメラ１による撮影範囲内には、主要撮影対象１０１（中景）と、この主要撮影対象１０１を基準として使用者（ユーザー）１００寄りの位置（近景）に花等１０２が存在し、使用者（ユーザー）１００よりも後方の位置（遠景）として山等１０３が存在する状況を想定している。
【００６０】
図３は、本実施形態のカメラにおけるカメラ制御の処理シーケンスを示すフローチャートである。図４は、図３の処理シーケンスのうちのサブルーチン（ステップＳ１１７の処理）を示すフローチャートである。
【００６１】
まず、本実施形態のカメラ１が電源オン状態とされて動作可能な起動状態にあるものとする。この状態にあるとき、ステップＳ１０１において、信号処理制御部１１は、現在設定されている動作モードが撮影モードにあるか否かの確認を行なう。ここで、撮影モードに設定されていることが確認された場合には、次のステップＳ１０２の処理に進む。また、撮影モード以外に設定されていることが確認された場合には、ステップＳ１５１の処理に進む。
【００６２】
ステップＳ１０２において、信号処理制御部１１は、撮像素子１３及びレンズ２６等からなる撮像部と表示部１８等を制御して画像データの取得処理及びライブビュー画像表示処理を実行する。その後、ステップＳ１１１の処理に進む。
【００６３】
続いて、ステップＳ１１１において、信号処理制御部１１は、ボディ側通信部１２を制御してレンズ側通信部２２を介してレンズ鏡筒２０のレンズ制御部２１との間でレンズ通信処理を行なう。このレンズ通信処理において、カメラボディ１０に装着されているレンズ鏡筒２０の種類等のレンズ情報の取得等が行われる。
【００６４】
なお、上記レンズ通信処理においては、カメラボディ１０にレンズ鏡筒２０が装着されているか否かの確認や、レンズ交換操作が行なわれたか否か等の確認も合わせて行なう。ここで、例えばボディ側通信部１２とレンズ側通信部２２との通信が確立できない場合には、カメラボディ１０にレンズ鏡筒２０が装着されていないものと判断し、その場合には、信号処理制御部１１は、表示制御部１１ｄを介して表示部１８を制御して、その旨の警告表示等を表示する制御を行ない、これにより使用者（ユーザー）にレンズ鏡筒２０の装着を促す。そして、レンズ装着の確認を待って、レンズ通信処理を実行する。また、レンズ通信処理が行われることによって、現在、カメラボディ１０側の信号処理制御部１１が保持しているレンズ鏡筒２０に関するレンズ情報と、レンズ通信処理の結果、現在カメラボディ１０に装着されているレンズ鏡筒２０側から取得したレンズ情報とが一致しない場合には、レンズ交換操作が行なわれたものと判断し、その場合には、信号処理制御部１１は、新たに取得したレンズ情報を一時記録部１６等に一時記録する等の処理を行なう。その後、ステップＳ１１６の処理に進む。
【００６５】
ステップＳ１１６において、信号処理制御部１１は、通信部１２，２２を介してレンズ制御部２１との通信を行なって、第１回動検出部２７ａ，第２回動検出部２７ｂからの信号を監視して、上記フォーカスリング２３ａ（第１操作リング），上記ズームリング２３ｂ（第２操作リング）が操作されたか否かの確認を行なう。ここで、上記両リング２３ａ，２３ｂの少なくとも一方の操作が確認された場合には、次のステップＳ１１７の処理に進む。また、上記両リング２３ａ，２３ｂのいずれの操作も確認されない場合には、ステップＳ１１８の処理に進む。
【００６６】
次の、ステップＳ１１７において、信号処理制御部１１は、リング操作検出処理のサブルーチン（図４の処理シーケンス）を実行する。その後、ステップＳ１１８の処理に進む。なお、上記ステップＳ１１７の処理の詳細は、図４を用いて後述する。
【００６７】
次に、ステップＳ１１８において、信号処理制御部１１は、現在設定されている撮影処理に関する動作モードが静止画撮影モードに設定されているか否かの確認を行なう。ここで、静止画撮影モードに設定されていることが確認された場合には、次のステップＳ１１９の処理に進む。また、静止画撮影モード以外の動作モードが設定されている場合には、ステップＳ１２１の処理に進む。
【００６８】
ステップＳ１１９において、信号処理制御部１１は、所定の静止画撮影処理を実行する。この静止画撮影処理のシーケンスは、従来一般のカメラで行われる処理と同様である。したがって、その詳細説明は省略する。
【００６９】
上述のステップＳ１１８の処理にて、静止画撮影モード以外の動作モード設定が確認されて、ステップＳ１２１の処理に進むと、このステップＳ１２１において、信号処理制御部１１は、現在設定されている撮影処理に関する動作モードが動画撮影モードに設定されているか否かの確認を行なう。ここで、動画撮影モードに設定されていることが確認された場合には、次のステップＳ１２２の処理に進む。また、動画撮影モード以外の動作モード、即ち静止画撮影モードが設定されている場合には、上述のステップＳ１０１の処理に戻る。
【００７０】
ステップＳ１２２において、信号処理制御部１１は、所定の動画撮影処理のシーケンスを開始する。この動画撮影処理のシーケンスも、従来一般のカメラで行われる処理と同様である。したがって、その詳細説明は省略する。
【００７１】
なお、上述のステップＳ１２２の動画撮影処理が開始されると、次のステップＳ１２３において、信号処理制御部１１は、操作部１５からの指示信号を監視し、その処理の間中、常に動画撮影処理の終了指示信号の確認を続ける。ここで、動画撮影処理の終了を指示する指示信号が確認された場合には、ステップＳ１２４の処理に進む。また、動画撮影処理終了指示信号が確認されない場合には、上述のステップＳ１０２の処理に戻り、以降の処理を繰り返す。
【００７２】
そして、ステップＳ１２４において、信号処理制御部１１は、動画撮影処理の終了処理を実行した後、記録部１４を制御して取得済みの画像データを記録する処理を実行する。その後、ステップＳ１０１の処理に戻る。
【００７３】
一方、上述のステップＳ１０１の処理にて、カメラ１に設定されている動作モードが撮影モード以外であることが確認されて、ステップＳ１５１の処理に進むと、このステップＳ１５１において、信号処理制御部１１は、現在設定されている動作モードが再生モードであるか否かの確認を行なう。ここで、再生モードに設定されていることが確認された場合には、所定の再生処理シーケンスへ移行するものとし、ステップＳ１５２の処理に進む。
【００７４】
ステップＳ１５２において、信号処理制御部１１は、記録部１４を制御して記録媒体に記録済みの画像データのサムネイル画像データを読み出して、所定の信号処理を施した後、表示制御部１１ｄを介して表示部１８を制御してファイル一覧表示処理を実行する。なお、このファイル一覧表示処理に代えて、次のような表示処理を実行するようにしてもよい。即ち、カメラ１が再生モードにあることが確認されると、信号処理制御部１１は記録部１４を制御して記録媒体に記録済みの画像データのうち最新画像データを読み出して、所定の信号処理を施した後、表示制御部１１ｄを介して表示部１８を制御して最新画像の再生処理を実行するようにしてもよい。その後、ステップＳ１５３の処理に進む。
【００７５】
続いて、ステップＳ１５３において、信号処理制御部１１は、操作部１５若しくはタッチパネル１８ｂからの指示信号を監視して、ファイル選択指示信号が発生したか否かの確認を行なう。ここで、ファイル選択指示信号は、表示中のファイル一覧のうちのいずれかを選択する旨の指示信号である。なお、最新画像表示の場合には、表示中の画像データの一つ前の画像データ若しくは記録済み画像データ中の最も古い画像データのいずれかを選択指示する指示信号となる。このステップＳ１５３の処理にて、信号処理制御部１１がファイル選択指示信号の発生を確認した場合には、次のステップＳ１５４の処理に進む。また、ファイル選択指示信号が確認されない場合には、ステップＳ１５６の処理に進む。
【００７６】
次に、ステップＳ１５４において、信号処理制御部１１は、記録部１４を制御して記録媒体に記録済みの画像データのうち上述のステップＳ１５３の処理にて選択された画像データを読み出して、所定の信号処理を施した後、表示制御部１１ｄを介して表示部１８を制御して選択画像の再生処理を実行する。その後、ステップＳ１５５の処理に進む。
【００７７】
ステップＳ１５５において、信号処理制御部１１は、操作部１５若しくはタッチパネル１８ｂからの指示信号を監視して、選択画像の表示を終了させる旨の指示信号が発生したか否かの確認を行なう。このステップＳ１５５において、選択画像表示終了指示信号が確認されない場合には、上述のステップＳ１５４の処理に戻る。即ち、同じ選択画像の表示処理を続行し続ける。また、選択画像表示終了指示信号が確認された場合には、ステップＳ１５２の処理に戻り、以降の処理を繰り返す。
【００７８】
一方、上述のステップＳ１５３の処理にて、ファイル選択指示信号が確認されずにステップＳ１５６の処理に進むと、このステップＳ１５６において、信号処理制御部１１は、操作部１５若しくはタッチパネル１８ｂからの指示信号を監視して、再生モードの終了指示信号が発生したか否かの確認を行なう。ここで、再生モード終了指示信号は、例えばモード切換操作若しくは電源オフ操作等である。このステップＳ１５６において、再生モード終了指示信号が確認されない場合には、上述のステップＳ１５２の処理に戻り、以降の処理を繰り返す。また、再生モード終了指示信号が確認された場合には、ステップＳ１０１の処理に戻り、以降の処理を繰り返す。なお、再生モード終了指示信号の発生トリガーとして、電源オフ操作が行なわれた場合には、全ての動作を終了するものとして、本カメラ制御処理シーケンスを終了する。この処理シーケンスについては、図３においては図面の煩雑化を避けるために図示を省略している。
【００７９】
他方、上述のステップＳ１５１の処理にて再生モード以外に設定されていることが確認された場合には、他の動作モードへの移行処理シーケンスを実行する。ここで、他の動作モードとしては、例えば画像通信モード等があるが、これらの他の動作モードについては、本発明に直接関係しないので、その詳細説明は省略し、再生モード以外に設定されている場合の処理シーケンスとしては、便宜的に上述のステップＳ１０１の処理に戻るようにしている。
【００８０】
本実施形態のカメラ１における上述のような一連の再生処理シーケンスは、従来一般的な形態のカメラと同様である。
【００８１】
なお、本実施形態のカメラ１の信号処理制御部１１は、常に操作部１５若しくはタッチパネル１８ｂ等からの指示信号を監視している。そして、上記処理シーケンス中のいずれの時点においても、操作部１５若しくはタッチパネル１８ｂ等からの指示信号が確認された場合には、確認した指示信号に対応する処理を割り込ませるように構成している。したがって、カメラ１の動作状況に関らず、所定の割り込み信号（例えば電源オフ信号，リセット信号，動作切換信号等）が確認された場合には、実行中の処理を中断させ、若しくは実行中の処理の終了を待って、割り込み指示に応じた処理（例えば電源オフ処理，リセット処理，動作切換処理等）を実行する。
【００８２】
次に、本実施形態のカメラにおけるリング操作検出処理のサブルーチン（図３のステップＳ１１７の処理）の詳細を、図４を用いて以下に説明する。
【００８３】
上述したように、上述の図３のステップＳ１１６の処理にて、上記二つの操作リング２３ａ，２３ｂのいずれかが操作されて、ステップＳ１１７の処理、即ち図４の処理シーケンスに移行する。
【００８４】
まず、図４のステップＳ２０１において、信号処理制御部１１は、上述のステップＳ１１６の処理による検出結果について、上記二つの操作リング２３ａ，２３ｂが同時に回動操作されたものであるか否かの確認を行なう。ここで、上記二つの操作リング２３ａ，２３ｂの同時回動操作であることが確認された場合には、信号処理制御部１１は、各操作リング２３ａ，２３ｂへの回動操作に対応する制御を禁止した上で、次のステップＳ２１１の処理に進む。ここで、上記二つの操作リング２３ａ，２３ｂの同時回動操作が検出されると、各操作リングの回動操作に対応する制御を禁止しているのは、次のような理由による。即ち、二つの操作リング２３ａ，２３ｂの同時回動操作が検出された場合、その操作が意図したものであるか、誤操作によるものであるかの判断がつかない。そのために、その同時回動操作が誤操作によるものであったとしても、現在設定されているフォーカス設定やズーム設定が意図せずにズレてしまうことを防止するために、この処理ステップの段階では、同時回動操作に対応する制御を禁止している。
【００８５】
一方、ここで、操作リングの同時回動操作ではないことが確認された場合、例えば上記二つの操作リング２３ａ，２３ｂの一方のみの操作が確認された場合には、ステップＳ２０２の処理に進む。
【００８６】
ステップＳ２１１において、信号処理制御部１１は、現在フォーカスガイドモードに設定されているか否かの確認を行なう。ここで、現在既にフォーカスガイドモードに設定されている場合には、ステップＳ２１２の処理に進む。
【００８７】
続いてステップＳ２１２において、信号処理制御部１１は、現在設定されているフォーカスガイドモードを解除して、フォーカスモードのうち例えば通常ＡＦ制御処理に設定する。その後、元の処理シーケンス（図３）に戻り、図３のステップＳ１１８の処理に進む。なお、上記ステップＳ２１２の処理にてフォーカスガイドモードの解除処理の前に、表示部１８にその旨の警告表示を行なうようにして、使用者（ユーザー）の諾否を問うようにしてもよい。
【００８８】
一方、上述のステップＳ２１１の処理にて、現在フォーカスガイドモードに設定されておらず、通常のフォーカスモードに設定されていることが確認された場合には、ステップＳ２２０の処理に進む。
【００８９】
ここで、フォーカスガイドモードの表示画面と、その動作時の概念を説明する。図５，図６は、上述の図２に示す撮影対象をフォーカスガイドモードに設定した本実施形態のカメラ１によって撮影を行なうのに際し、表示部１８に表示されるライブビュー画像の一例を示す図である。
【００９０】
上述したように、図２で示すような状況を撮影対象とする場合、図５，図６に示すように、撮影画面内には複数の被写体が含まれることになる。この場合において、カメラ１から各被写体までの距離に差があれば、画面全域でピントが合った状態になるとは限らない。具体的には、上述したように、例えばカメラ１から近距離にある近景の花等１０２と、遠距離にある遠景の山等１０３と、両者の中間距離にある中継の人物等１０１とした場合、これら三つの被写体のうちいずれかに焦点調節を行なうと、他の二つの被写体ではピントの合わない（ズレた）状態になる。このことを表現するために、図５，図６においては、複数の被写体のうち焦点調節がなされている被写体を実線で示し、焦点調整がなされていない被写体（フォーカスがズレている(out of focus)被写体）を点線で示している。具体的には、図５においては、中景の人物等１０１を実線で描き他を点線で描くことによってピントが合っている状態を示している。図５においては、近景の花等１０２を実線で描き他を点線で描くことによってピントが合っている状態を示している。
【００９１】
この場合において、カメラ１と各被写体までの距離は、次のようにして求める。まず、撮影画面内において、例えば縦方向の二分の一の位置の水平線Ｈ（図５参照）を規定する。そして、この水平線Ｈを含む所定の領域を対象として、距離分布、遠近判定（測距）動作、例えば撮像素子１３からの出力に基いてＡＦ処理を行なうコントラストＡＦ処理を用い、画面左端から右端までの間の水平線Ｈ上の画像のコントラストを検出することによって、複数の被写体までの測距動作を行なう。
【００９２】
なお、ここで行なう測距動作としては、上述のコントラストＡＦ処理のほかに、例えば撮像素子１３の撮像面上に設けたＡＦ用位相差画素を用いてＡＦ処理を行なう像面位相差ＡＦ処理を用いるようにしてもよい。さらに光投射型や、２眼レンズによるものなど、様々な方式が知られている。
【００９３】
こうして得られる距離分布判定（測距）結果をグラフ化した一例を図７に示している。ここで、図７（Ａ）は図２で示す撮影対象を撮影する場合における撮影範囲（図５参照）について所定領域（水平線Ｈ）の測距分布の測定を行なった結果、同所定領域（水平線Ｈ）のピント位置（距離の逆数に対応）ごとに得られたコントラストピークの分布に従った被写体の遠近判定結果（距離分布）の例を示している。図７（Ｂ）は、図７（Ａ）の測距結果に基いて作成されたリング回転量とピントを合わせる位置の関係を示すグラフである。
【００９４】
通常の場合、被写体までの距離の逆数はレンズ繰り出し量（リング回転量）に比例する。また、近距離にある物ほどハイ（高）コントラストとなる傾向がある。一方、遠距離にある物ほどロー（低）コントラスト傾向となるので、そういった領域は無限遠（∞）に設定する。これらのことを考慮して、図７（Ａ）のグラフでは、縦軸に最適ピント位置の分布や、遠近判定など測距結果に基く距離の逆数を取り、横軸に画面内の所定領域（水平線Ｈ上）における位置を取っている。この距離分布判定（測距）結果に基いて図７（Ｂ）に示すようにリング回転量が設定される。この場合において、水平線Ｈ上の位置における近景（花等１０２）に合焦点を中心とする所定のフォーカス範囲Ｚ１と、同様に中景（人物等１０１）に合焦点を中心とする所定のフォーカス範囲Ｚ２と、同様に遠景（山等１０３）に合焦点を中心とする所定のフォーカス範囲Ｚ３と、複数（本実施形態では三つ）のフォーカスゾーンを設定する。そして、あるフォーカスゾーンが指定された時には、そのフォーカスゾーンの範囲内における規定位置に合焦するようフォーカス光学系の駆動制御がまされる。つまり、各フォーカスゾーン内においては、リング回転量に関らず、微少なフォーカシング（ピント合わせ、ピント制御、焦点調節）は行われず、フォーカス光学系は規定の位置に固定される。そして、各フォーカスゾーン間においては、それぞれの規定位置ごとに段階的に制御される。この場合においては、グラフ上においてなだらかな傾斜となるようにスムースな駆動制御が行なわれる。
【００９５】
なお、この形態とは別に、例えば図８に示すようなフォーカス制御を行なうようにしてもよい。図８に示す変形例では、各フォーカスゾーン内においても、若干の範囲内でリング回転量に応じたフォーカス微調整を行なうことができるように駆動制御している。
【００９６】
そして、図７（Ｂ），図８においては、近景に対応する最も近距離（最近端という）に合焦させた状態、若しくは遠景に対応する最も遠距離（無限遠；∞：最遠端という）に合焦させた状態から、別の端へとシームレスにワンアクションでフォーカスゾーンを変更することができることを示している。つまり、最至近端の合焦状態からフォーカスリング２３ａを回し続けると、中間位置を介して最遠端の合焦状態へと至り、ここからさらにフォーカスリング２３ａを回し続けると、最遠端から最至近端への合焦状態へと移行するように設定されている。つまり、従来は、最至近端と最遠端との間の範囲で一方向のフォーカス制御がなされていた。したがって、合焦状態が一方の端部に至った時には、常に中間位置を介して他方の端部へと戻るように制御されていた。これに対し、本実施形態における操作リングは、無限に回転し続け得る構成として、一方の端部から他方の端部へと直接移行し得るようにフォーカス制御がなされる。
【００９７】
一方、通常のフォーカスモードの設定下では、図９に示すように、フォーカスリング２３ａを回転させることによってＭＦ制御を行なうことができる。この場合には、最至近端の合焦状態からフォーカスリング２３ａを回し続けると、やがて中間位置を介して最遠端の合焦状態へと至る。このとき、リング回転量は、最至近端の合焦状態から一定の傾きを保ちつつ最遠端の合焦状態へと至る。そして、最至近端若しくは最遠端の合焦状態にあるときには、それ以上、フォーカスリング２３ａを回し続けても、そのときの合焦状態、即ち最至近端若しくは最遠端の合焦状態が維持されるように設定される。
【００９８】
なお、上記の例では、距離分布判定（測距）を行なう領域として水平線Ｈを例にとって説明したが、測距対象領域としては、この形態に限られることはなく、撮影画面の全領域としたり、撮影画面の中央部分の所定領域としたり、その設定は各種の形態で設定すればよい。
【００９９】
そして、フォーカスガイドモードが設定されたときには、図５，図６に示すように、表示部１８の表示画面には所定の領域にフォーカスガイドアイコン５１が表示される。フォーカスガイドアイコン５１は、例えば円環部５１ａと、この円環部５１ａの周縁に表示され上記フォーカスゾーンに対応する複数（本実施形態では三つ）の指標５１ｂと、各指標５１ｂから延出される矢印５１ｃと、上記円環部５１ａ上において上記複数の指標５１ｂのうちの一つを明示する識別部５１ａａとからなる。このフォーカスガイドアイコン５１の図形データは、例えば記録部１４等の所定の記録領域に予め記憶させておいたものを適宜読み出して利用するように制御される。
【０１００】
フォーカスガイドアイコン５１は、円環形状の操作部材を模した表示としている。つまり、タッチパネル１８ｂを介してフォーカスガイドアイコン５１に対応する表示部１８上の位置をタッチ＆スライド操作等を行なうことによって、所望の操作を行なうことができる。例えば、図５に示す状態では、この円環部５１ａの周縁に三つの指標５１ｂが表示されていて、三つのフォーカスゾーンを選択することを表している。各指標５１ｂのそれぞれからは矢印５１ｃが各フォーカスゾーンに対応する被写体に向けて延出されている。そして、図５の状態においては、円環部５１ａ上に表示される識別部５１ａａは、中景の人物等１０１を示すフォーカスゾーンに対応する指標５１ｂを明示している。したがって、図５の状態の表示部１８の画面上において中景のフォーカスゾーンに合焦した状態が示されている。
【０１０１】
この図５の状態から、使用者（ユーザー）がタッチパネル１８ｂごしに円環部５１ａを、図６に示すように、矢印Ｒ方向にスライド操作を行なうと表示部１８の表示画像は、近景のフォーカスゾーンに合焦した状態になる。
【０１０２】
また、これとは別に、フォーカスガイドアイコン５１と同様な形態のダイヤル状部材をカメラボディ１０に設け、このダイヤル状部材を操作すると、これに連動して表示部１８のフォーカスガイドアイコン５１の表示が変化するような形態としてもよい。
【０１０３】
このようなフォーカスガイドモード時の作用は、図４の処理シーケンスにより実現できる。即ち、図４において、上述のステップＳ２０１の処理にて二つの操作リング２３ａ，２３ｂの同時回動が確認され、かつ上述のステップＳ２１１の処理にて、現在フォーカスガイドモードに設定されていないことが確認されてステップＳ２２０の処理に進むと、このステップＳ２２０において、信号処理制御部１１は、フォーカス制御をフォーカスガイドモードへと切り換える。
【０１０４】
つまり、本実施形態においては、操作リングの同時回動操作が検出されると、各操作リング２３ａ，２３ｂの制御を禁止して、設定済みのフォーカス設定やズーム設定がズレてしまうことを防ぎつつ、常にフォーカスガイドモードへ移行するようにしている。したがって、検出された同時回動操作が使用者（ユーザー）の意図に反する誤操作であって、かつフォーカスガイドモードへの移行をも意図しない場合であることも考えられる。そのような場合には、上述のステップＳ２２０の処理の後に、例えば所定のキャンセル操作を行なうことによって、切り換えられたフォーカスガイドモードをキャンセルして通常のフォーカス制御を行う動作モードへと戻すような制御を割り込ませるようにしてもよい。
【０１０５】
また、フォーカスガイドモードへの切り換え手段は、上述のように、操作リングの同時回動操作によるのみに限らず、例えばカメラボディ１０若しくはレンズ鏡筒２０上に設けた所定の操作部材を操作することによってもよい。
【０１０６】
次に、ステップＳ２２１において、信号処理制御部１１は、通信部１２，２２を介してレンズ制御部２１を制御して、ズームレンズ位置検出部２５ａ，フォーカスレンズ位置検出部２５ｂからの出力信号を読み込んで、現在設定されているフォーカス位置及びズーム位置を一時記録部１６に一時的に記録する。
【０１０７】
続いて、ステップＳ２２２において、信号処理制御部１１のフォーカス処理部１１ａは、通信部１２，２２，レンズ制御部２１を介してフォーカス駆動部２４ｂを制御してフォーカス駆動機構部２６ｂによるフォーカス光学系の駆動を行なって、距離分布測定処理を行なう（図７（Ａ）参照）。
【０１０８】
次に、ステップＳ２２３において、信号処理制御部１１は、上述のステップＳ２２１の処理にて一時記録した情報に基いてレンズ２６におけるフォーカス光学系及びズーム光学系を元の状態に戻す駆動制御を行なう。
【０１０９】
ステップＳ２２４において、信号処理制御部１１は、画像処理部１１ｂ，表示制御部１１ｄを介して記録部１４，表示部１８等を制御してフォーカスガイドアイコン５１のうち円環部５１ａを表示部１８の所定領域に表示させる。同時に、現在設定されているフォーカス位置をフォーカスガイドアイコン５１上の対応する位置に表示する。つまり、円環部５１ａ上の対応位置に識別部５１ａａを表示させる。
【０１１０】
続いて、ステップＳ２２５において、信号処理制御部１１は、フォーカス処理部１１ａを制御して、上述のステップＳ２２２の処理にて得られた距離分布測定結果に基いて、遠景及び近景と中景とする三つのフォーカスゾーンを選択設定する（図７（Ｂ）参照）。
【０１１１】
次いで、ステップＳ２２６において、信号処理制御部１１は、画像処理部１１ｂ，表示制御部１１ｄを介して記録部１４，表示部１８等を制御して、設定した遠景，中景，近景に対応するポイントに対して矢印５１ｃの先端を設定する。
【０１１２】
続いて、ステップＳ２２７において、信号処理制御部１１は、画像処理部１１ｂ，表示制御部１１ｄを介して記録部１４，表示部１８等を制御して、フォーカスガイドアイコン５１を円周方向に三分割し遠景，中景，近景の各ポイントを示す複数の指標５１ｂを表示させる。同時に、これら複数の指標５１ｂにそれぞれ対応する矢印５１ｃを表示させる。
【０１１３】
次に、ステップＳ２２８において、信号処理制御部１１は、フォーカス処理部１１ａによって、フォーカスリング２３ａのリング回転量（操作指示量）とフォーカス位置関係とを再設定する（図７（Ｂ），図８参照）。その後、元の処理シーケンス（図３）に戻り、図３のステップＳ１１８の処理に進む。
【０１１４】
一方、上述のステップＳ２０１の処理にて、同時回動操作ではないことが確認されて、ステップＳ２０２の処理に進むと、このステップＳ２０２において、信号処理制御部１１は、現在フォーカスガイドモードに設定されているか否かの確認を行なう。ここで、現在既にフォーカスガイドモードに設定されている場合には、ステップＳ２０３の処理に進む。また、現在フォーカスガイドモードに設定されておらず、通常のフォーカスモードに設定されていることが確認された場合には、ステップＳ２０５の処理に進む。
【０１１５】
ステップＳ２０３において、信号処理制御部１１は、上述の図３のステップＳ１１６の処理による検出結果について、上記二つの操作リング２３ａ，２３ｂのうちのフォーカスリング２３ａが回動操作されたものであるか否かの確認を行なう。ここで、フォーカスリング２３ａの回動操作が確認されている場合には、次のステップＳ２０４の処理に進む。また、フォーカスリング２３ａ以外、即ちズームリング２３ｂの回動操作が確認されている場合には、ステップＳ２０５の処理に進む。
【０１１６】
ここで、ステップＳ２０５において、信号処理制御部１１は、実行されたリング操作に応じてフォーカス制御若しくはズーム制御を実行する。これらフォーカス制御，ズーム制御は、従来一般のカメラと同様の制御であるので、その詳細は省略する。その後、元の処理シーケンス（図３）に戻り、図３のステップＳ１１８の処理に進む。
【０１１７】
一方、上述のステップＳ２０３の処理にてフォーカスリング２３ａの回動操作が確認されてステップＳ２０４の処理に進むと、このステップＳ２０４において、信号処理制御部１１は、現在設定されているフォーカス位置が最遠端か若しくは最近端かのいずれかに設定されているか否かの確認を行なう。ここで、フォーカス位置が最遠端若しくは最近端に設定されていることが確認された場合には、次のステップＳ２０６の処理に進む。また、設定されているフォーカス位置が最遠端，最近端のいずれでもない場合には、ステップＳ２０７の処理に進む。
【０１１８】
ステップＳ２０６において、信号処理制御部１１は、設定されているフォーカス位置とは別の端部となるようにフォーカス位置を設定する。その後、元の処理シーケンス（図３）に戻り、図３のステップＳ１１８の処理に進む。
【０１１９】
他方、ステップＳ２０７において、信号処理制御部１１は、再設定した関係、即ち上述のステップＳ２０３の処理によるフォーカスリング２３ａの操作量に応じたフォーカス制御を実行する。その後、元の処理シーケンス（図３）に戻り、図３のステップＳ１１８の処理に進む。
【０１２０】
なお、本実施形態においては、円環状操作部材からなる二つの操作リング２３ａ，２３ｂの同時回動操作をフォーカスモードの切り換えのトリガーとしているが、この形態に限られることはない。例えば、押圧式ボタンやスライド摺動式の複数の操作部材を同時に操作することをモード切り換えのトリガーとする形態としてもよい。
【０１２１】
以上説明したように上記第１の実施形態によれば、小型化により隣接して設けられる二つの操作リング２３ａ，２３ｂを同時に操作することによって、従来なかった動作モード（具体的にはフォーカス制御のうちのフォーカスガイドモード）へとシームレスに切り換わるように構成した。この場合において、二つの操作リング２３ａ，２３ｂの同時操作を検出した時、各操作リング２３ａ，２３ｂによる通常の制御を禁止するようにした。このように、二つの操作リング２３ａ，２３ｂを同時操作すると、各操作リング２３ａ，２３ｂに割り当てられた通常の制御を禁止したので、たとえ二つの操作リング２３ａ，２３ｂの同時操作が誤操作であったとしても設定ずれ等の事故を防止することができると同時に、フォーカス制御をフォーカスガイドモードへとシームレスに移行させ得る。
【０１２２】
また、新たに設けたフォーカスガイドモード時には、画面内の複数の被写体についての距離分布判定を行なって、カメラ１から被写体までの距離に応じて複数のフォーカスゾーンを設定し、使用者（ユーザー）は、所定の操作によって所望のフォーカスゾーンを選択することによって、選択されたフォーカスゾーンに含まれる被写体にフォーカシング（ピント合わせ、ピント制御、焦点調節）を行なうことができるようにしている。したがって、このフォーカスガイドモードによるフォーカス制御では、使用者（ユーザー）が所望する被写体に対して容易にフォーカシングを行なうことができる。これによって、通常のＡＦ制御モードや手動操作によるＭＦ制御モードによるフォーカス制御に比べて、より簡単に所望の被写体へのフォーカシングを行なうことができるので、画像表現の幅を広げ多彩な撮影画像を取得することができる。
［第２の実施形態］
【０１２３】
次に説明する第２の実施形態は、フォーカスガイドモード時における表示形態が上述の第１の実施形態とは異なる例を示すものである。本実施形態の撮影機器（カメラ）自体の基本的な構成は、上述の第１の実施形態と略同様であり、カメラ制御シーケンスの一部が異なるのみである。したがって、上述の第１の実施形態と同様の構成については図示を省略し同じ符号を用いて説明する。また、同様の処理シーケンスについてもその図示及び説明は省略し、異なる部分のみを以下に説明する。
【０１２４】
図１０，図１１，図１２は、本発明の第２の実施形態の撮影機器（カメラ）におけるカメラ制御処理シーケンスのうちリング操作検出処理のサブルーチン（図３のステップＳ１１７の処理に相当）の詳細を示すフローチャートである。このうち、図１１は図１０の処理シーケンスのうちのサブルーチン（ステップＳ２３７のアイコン表示処理）を示すフローチャートである。図１２は図１０の処理シーケンスのうちのサブルーチン（ステップＳ２４３の表示更新処理）を示すフローチャートである。
【０１２５】
図１３〜図１６は、本実施形態の撮影機器（カメラ）において表示部の表示例である。このうち図１３は、本撮影機器（カメラ）の表示部に表示されるラブビュー画像の一例を示している。図１４〜図１６は、本撮影機器（カメラ）におけるフォーカスガイドモード時のラブビュー画像の一例をそれぞれ示している。このうち図１４は近景の被写体に合焦した状態を示している。図１５は中景の被写体に合焦した状態を示している。図１６は遠景の被写体に合焦した状態を示している。なお、図１３〜図１６においては、上述の第一の実施形態における図５，図６と同様に、合焦状態に有る被写体を実線で、合焦状態にない被写体を点線で示している。
【０１２６】
本実施形態において、撮影対象とする範囲内には、図１３のライブビュー画像に示すように、近景の被写体として人物１０１が、中景の被写体として他の人物１０２が、遠景の被写体として山等１０３が存在している。この状況において、本実施形態のカメラ１を用いてフォーカスガイドモードでの撮影を行なうことを想定する。
【０１２７】
本実施形態のカメラ１におけるカメラ制御処理シーケンス（メインシーケンス）は、上述の第１の実施形態で説明した図３を参照する。
【０１２８】
そして、図３のステップＳ１１６の処理にて、カメラ１の二つの操作リング２３ａ，２３ｂのいずれかが操作されて、ステップＳ１１７のリング操作検出処理に進む。本実施形態におけるリング操作検出処理は、図１０の処理シーケンスである。
【０１２９】
図１０のステップＳ２３２において、信号処理制御部１１は、上述のステップＳ１１６の処理による検出結果について、上記二つの操作リング２３ａ，２３ｂが同時に回動操作されたものであるか否かの確認を行なう。ここで、上記二つの操作リング２３ａ，２３ｂの同時回動操作であることが確認された場合には、信号処理制御部１１は、各操作リング２３ａ，２３ｂへの回動操作に対応する制御を禁止し、次のステップＳ２３３の処理に進む。また、操作リングの同時回動操作ではないことが確認された場合には、ステップＳ２４１の処理に進む。なお、このステップＳ２３２の処理は、図４のステップＳ２０１の処理と同様である。
【０１３０】
ステップＳ２３３において、信号処理制御部１１は、現在フォーカスガイドモードに設定されているか否かの確認を行なう。ここで、現在既にフォーカスガイドモードに設定されている場合には、ステップＳ２３４の処理に進む。また、現在フォーカスガイドモードに設定されていないことが確認された場合には、ステップＳ２３６の処理に進む。なお、このステップＳ２３３の処理は、図４のステップＳ２１１の処理と同様である。
【０１３１】
ステップＳ２３４において、信号処理制御部１１は、表示制御部１１ｄを介して表示部１８を制御してフォーカスガイドモードを解除する旨の警告表示を行なう。
【０１３２】
続いて、ステップＳ２３５において、信号処理制御部１１は、現在設定されているフォーカスガイドモードを解除して、同フォーカスガイドモードを終了させ、他のフォーカスモード、例えば通常ＡＦ制御処理を設定する。その後、本サブシーケンスを終了し、元の処理シーケンス（図３）に戻る。
【０１３３】
一方、ステップＳ２３６において、信号処理制御部１１は、フォーカス制御をフォーカスガイドモードへと切り換える。なお、このステップＳ２３６の処理は、図４のステップＳ２２０の処理と同様である。
【０１３４】
続いて、ステップＳ２３７において、信号処理制御部１１は、アイコン表示処理を実行する。このアイコン表示処理の詳細を図１１を用いて、次の説明する。
【０１３５】
図１１のステップＳ２５１において、信号処理制御部１１は、画面内にある複数の被写体についての測距動作処理（これは、ピント位置から換算される距離分布判定でも良い）を行なう。この測距動作処理は、上述の図４のステップＳ２２２の処理と略同様であるものとする。なお、図示及び説明は省略するが、この測距（被写体分布判定）処理には、上述の図４のステップＳ２２１，Ｓ２２３の処理を含む物とする。
【０１３６】
ステップＳ２５２において、信号処理制御部１１は、上述のステップＳ２５１の処理にて得られた測距結果に基いて測距（距離分布判定、被写体分布）可能とされた複数の被写体（図１１において測距可能被写体と表記している）についてナンバリング処理を行なう。このナンバリング処理とは、例えば撮影対象とする範囲内から検出された複数の被写体について、近距離にあるものから順にナンバリングを行なって、対応する被写体の近傍に数字等を用いたナンバリングアイコン５２を表示させる処理である。図１４〜図１６に示す例では、近景被写体１０１に数字「１」を、中景被写体１０２に数字「２」を、遠景被写体１０３に数字「３」を割り振るようにしている。
【０１３７】
なお、図１４〜図１６においては、フォーカスガイドアイコン５１Ａ及びナンバリングアイコン５２を表示した状態を示しているものであるが、これらの表示処理は、後述するステップＳ２５４の処理にて実行される。
【０１３８】
続いて、図１１のステップＳ２５３において、信号処理制御部１１は、上述の測距動作で検出された被写体（測距可能被写体）のうち最も至近位置となる近景被写体１０１に焦点調節を行なう（フォーカス移動）。このときの表示部１８の表示状態は、図１４に示すようになる。
【０１３９】
次に、ステップＳ２５４において、信号処理制御部１１は、表示制御部１１ｄを介して表示部１８を制御して画面内表示を行なう。ここで、フォーカスガイドアイコン５１Ａ及びナンバリングアイコン５２を表示させる。フォーカスガイドアイコン５１Ａは、基本的には上述の第１の実施形態のものと略同様の形態であり、円環部５１ａとナンバリング指標５１ｄとからなる。本実施形態においては、複数の指標５１ｂに代えて円環部５１ａを区切って表示する複数の指標５１ｂｂを表示するようにしている。識別部５１ａａは、この複数の指標５１ｂｂのうちの一つを、例えば色分け表示等によって明示する。そして、円環部５１ａの周縁にナンバリング指標５１ｄが表示される。このナンバリング指標５１ｄは、測距結果（被写体分布判定結果）に基いてナンバリングされた被写体に対応する数字アイコンとしている。なお、本実施形態においては、矢印５１ｃは省略されている。また、ナンバリングアイコン５２は、測距結果に基いてナンバリングされた被写体近傍の領域に表示される数字等からなるアイコンである。
【０１４０】
一方、上述のステップＳ２３２の処理にて、上述のステップＳ１１６の処理で検出された操作リングの操作が同時回動操作ではないことが確認されてステップＳ２４１の処理に進むと、このステップＳ２４１において、信号処理制御部１１は、フォーカスリング２３ａのみの回動操作がなされたか否かの確認を行なう。ここで、フォーカスリング２３ａのみの回動操作が確認された場合には、次のステップＳ２４２の処理に進む。また、フォーカスリング２３ａのみの回動操作ではない場合、即ち二つの操作リングのうちズームリング２３ｂのみの回動操作が確認された場合には、ステップＳ２４４の処理に進む。
【０１４１】
ステップＳ２４２において、信号処理制御部１１は、現在のフォーカス制御がフォーカスガイドモードに設定されているか否かの確認を行なう。ここで、現在フォーカスガイドモードに設定されている場合には、ステップＳ２４３の処理に進む。また、現在フォーカスガイドモードに設定されていない場合には、ステップＳ２４４の処理に進む。
【０１４２】
ステップＳ２４３において、信号処理制御部１１は、表示制御部１１ｄを介して表示部を制御して表示更新処理（詳細は図１２参照）を実行する。その後、本サブシーケンスを終了し、元の処理シーケンス（図３）に戻る。
【０１４３】
ステップＳ２４４において、信号処理制御部１１は、操作された操作リングに対応する駆動制御、即ち通常のフォーカス制御若しくはズーム制御を実行する。その後、本サブシーケンスを終了し、元の処理シーケンス（図３）に戻る。
【０１４４】
次に、上述のステップＳ２４３の処理である表示更新処理の詳細を以下に説明する。
【０１４５】
図１２のステップＳ２６１において、信号処理制御部１１は、第１回動検出部２７ａからの信号を受けてフォーカスリング２３ａの回動方向が右方向の回動であるかいなかの確認を行なう。ここで、右方向の回動操作が確認された場合には、ステップＳ２６２の処理に進む。また、左方向の回動操作が確認された場合には、ステップＳ２６３の処理に進む。
【０１４６】
ステップＳ２６２において、信号処理制御部１１のフォーカス処理部１１ａは、通信部１２，２２，レンズ制御部２１を介してフォーカス駆動部２４ｂを制御してフォーカス駆動機構部２６ｂによるフォーカス光学系の駆動を行なって、現在合焦状態にある被写体からナンバリングの一段階遠方向の被写体へと合焦状態を移動させる。その後、ステップＳ２６４の処理に進む。これにより、表示部１８のライブビュー画像は、例えば図１４に示す状態から図１５に示す状態に変位する。
【０１４７】
一方、ステップＳ２６３において、信号処理制御部１１は、ステップＳ２６２の処理と同様にして、現在合焦状態にある被写体からナンバリングの一段階近方向の被写体へと合焦状態を移動させる。その後、ステップＳ２６４の処理に進む。この場合には、表示部１８のライブビュー画像は、例えば図１５に示す状態から図１４に示す状態に変位する。
【０１４８】
なお、本実施形態においては、「右方向」の場合に「一段階遠方向」とし、「左方向」の場合に「一段階近方向」としているが、これは単なる例示であってこれに限られることはない。例えば、反対に、「左方向」の場合に「一段階遠方向」とし、「右方向」の場合に「一段階近方向」としてもよい。
【０１４９】
ステップＳ２６４において、信号処理制御部１１は、再度の測距動作処理を実行する。この測距動作処理は、上述の図１１のステップＳ２５１の処理と同様の処理である。
【０１５０】
続いて、ステップＳ２６５において、信号処理制御部１１は、上述のステップＳ２６４の測距動作処理の結果、フォーカスにずれが生じているか否かの確認を行なう。ここで、フォーカスずれが確認された場合には、次のステップＳ２６６の処理に進み、このステップＳ２６６において、信号処理制御部１１は、フォーカス駆動部２４ｂを制御してフォーカス光学系の駆動を行ないフォーカス位置の微調整動作を実行する。その後、ステップＳ２６７の処理に進む。また、上述のステップＳ２６４の処理にてフォーカスずれが確認されない場合には、ステップＳ２６７の処理に進む。
【０１５１】
ステップＳ２６７において、信号処理制御部１１は、上述のステップＳ２６４の再測距処理の結果に基いて撮影画面内の状況を確認し、測距可能被写体に変化が生じたか否かを判断する。ここで、測距可能被写体に変化が生じたことが確認された場合には、ステップＳ２６８の処理に進み、このステップＳ２６８において、信号処理制御部１１は、再測距処理の結果に基いて検出した測距可能被写体についてのナンバリングを更新する処理を実行する。その後、ステップＳ２６９の処理に進む。また、上述のステップＳ２６７の処理にて測距可能被写体に変化が生じていない場合には、ステップＳ２６９の処理に進む。ここで、「測距」と書いているのは、必ずしも、被写体の距離が何メートルとか何十メートルとか距離を測るものである必要はなく、どの位置にピントをあわせば、最もピントが合うかなどレンズのピント合わせ情報などから換算できるものであってもよいことは言うまでもない。むしろ、距離を正確に測ることよりも、どの位置にピント合わせレンズを動かせば、どの被写体にピントが合うかという判定を行うことが重要である。
【０１５２】
最後に、ステップＳ２６９において、信号処理制御部１１は、表示制御部１１ｄを介して表示部１８を制御して、画面内表示を更新する処理を実行する。その後、本サブシーケンスを終了し、元の処理シーケンス（図１０）に戻る。
【０１５３】
以上説明したように上記第２の実施形態によれば、上述の第１の実施形態と同様の効果を得ることができる。また、フォーカスガイドアイコン５１Ａの形態の工夫により、表示部１８への表示を簡略化したので、フォーカスガイドモード時のライブビュー画像の煩雑化を抑止することができる。
【０１５４】
なお、本実施形態においては、フォーカスガイドモード時の操作をフォーカスリング２３ａを用いて行なうようにしているが、これに限られることはなく、上述の第１の実施形態と同様に、タッチパネル１８ｂへのタッチ＆スライド操作等によるものとして構成してもよい。
【０１５５】
なお、本発明は、上記各実施形態にそのまま限定されるものではなく、実施段階ではその要旨を逸脱しない範囲で構成要素を変形して具体化できる。ここでは、レンズ交換式のミラーレスカメラで説明したが、レンズ交換式である必要はなく、一眼レフ式のカメラであっても構わない。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１５６】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１５７】
即ち、特許請求の範囲、明細書、および図面中の動作フローに関して、便宜上「まず」、「次に」等を用いて説明したとしても、この順で実施することが必須であることを意味するものではない。また、これらの動作フローを構成する各ステップは、発明の本質に影響しない部分については、適宜省略も可能であることは言うまでもない。
【０１５８】
また、ここで説明した技術のうち、主にフローチャートで説明した制御や機能は、多くがソフトウエアプログラムにより設定可能であり、そのプログラムをコンピュータが読み取り実行することで上述した制御や機能を実現することができる。そのプログラムは、コンピュータプログラム製品として、フレキシブルディスク，ＣＤ−ＲＯＭ等，不揮発性メモリ等の可搬媒体や、ハードディスク，揮発性メモリ等の記憶媒体に、その全体あるいは一部を記録又は記憶することができ、製品出荷時又は可搬媒体或いは通信回線を介して流通又は提供が可能である。使用者（ユーザー）は、通信ネットワークを介してそのプログラムをダウンロードしてコンピュータにインストールしたり、あるいは記録媒体からコンピュータにインストールすることで、容易に本実施の形態の撮影機器を実現することができる。
【産業上の利用可能性】
【０１５９】
本発明は、デジタルカメラ等の撮影機能に特化した電子機器である撮影機器に限られることはなく、撮影機能を備えた他の形態の電子機器、例えば携帯電話，スマートフォン，録音機器，電子手帳，パーソナルコンピュータ，タブレット端末機器，ゲーム機器，携帯テレビ，時計，ＧＰＳ（Global Positioning System）を利用したナビゲーション機器等、各種の撮影機能付き電子機器にも広く適用することができる。
【０１６０】
さらに、撮像素子を用いて画像を取得し、その取得画像を表示装置に表示する機能を有する電子機器、例えば望遠鏡，双眼鏡，顕微鏡等の観察用機器に対しても同様に適用することができる。
【符号の説明】
【０１６１】
１……カメラ，１０……カメラボディ，
１１……信号処理制御部，１１ａ……フォーカス処理部，１１ｂ……画像処理部，１１ｃ……タッチ判定部，１１ｄ……表示制御部，
１２……ボディ側通信部，１３……撮像素子，１４……記録部，１５……操作部，１６……一時記録部，１８……表示部，１８ｂ……タッチパネル，１９……時計部，
２０……レンズ鏡筒，２１……レンズ制御部，２２……レンズ側通信部，２３……レンズ側操作部，２３ａ……フォーカスリング，２３ｂ……ズームリング，２４ａ……ズーム駆動部，２４ｂ……フォーカス駆動部，２４ｃ……絞り駆動部，２５ａ……ズームレンズ位置検出部，２５ｂ……フォーカスレンズ位置検出部，２６……レンズ，２６ａ……ズーム駆動機構部，２６ｂ……フォーカス駆動機構部，２６ｃ……絞り駆動機構部，２７ａ……第１回動検出部，２７ｂ……第２回動検出部，３１……顔検出部，
５１，５１Ａ……フォーカスガイドアイコン，５１ａ……円環部，５１ａａ……識別部，５１ｂ，５１ｂｂ……指標，５１ｃ……矢印，５１ｄ……ナンバリング指標，
５２……ナンバリングアイコン，
【図１】
2015001717.tif 000003
【図２】
2015001717.tif 000004
【図３】
2015001717.tif 000005
【図４】
2015001717.tif 000006
【図５】
2015001717.tif 000007
【図６】
2015001717.tif 000008
【図７】
2015001717.tif 000009
【図８】
2015001717.tif 000010
【図９】
2015001717.tif 000011
【図１０】
2015001717.tif 000012
【図１１】
2015001717.tif 000013
【図１２】
2015001717.tif 000014
【図１３】
2015001717.tif 000015
【図１４】
2015001717.tif 000016
【図１５】
2015001717.tif 000017
【図１６】
2015001717.tif 000018